【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
ラスター画素イメージを形成するべくグラフィックオブジェクトの任意の属性に関して予め指定された処理を行うグラフィックオブジェクト処理装置であって、
前記グラフィックオブジェクトの任意の属性に関する複数の処理を行う複数の処理手段と、
前記複数の処理手段のそれぞれからのバスアクセスを調停するバスアクセス調停手段と、を備え、
前記バスアクセス調停手段は、
前記複数の処理手段からのバスアクセスを調停結果に基づいてシステムバスに転送するバスインタフェース手段と、
前記複数の処理手段それぞれの負荷状態を検出する状態検出手段と、
前記状態検出手段による検出結果に基づいてバス調停アルゴリズムを実行し、前記バスインタフェース手段を制御する制御手段とを有する、
ことを特徴とするグラフィックオブジェクト処理装置。
【請求項２】
前記制御手段は、それぞれ異なる複数のバス調停アルゴリズムを有し、該バス調停アルゴリズムを実行して調停結果を取得する複数のアービトレーション手段と、セレクト信号に基づいて前記複数のアービトレーション手段が取得した前記調停結果のいずれかを前記バスインタフェース手段に入力させるセレクト手段とによって構成されることを特徴とする請求項１に記載のグラフィックオブジェクト処理装置。
【請求項３】
前記バスアクセス調停手段は、さらに、前記複数の処理手段からのそれぞれのバスアクセスの要求回数をカウントするリクエストカウント手段と、前記リクエストカウント手段の値を予め指定された方法によってデコードしてセレクト信号を生成するデコード手段とを有し、
前記制御手段は、前記デコード手段によって生成されるセレクト信号に基づいて前記バス調停アルゴリズムを選択・実行することを特徴とする請求項１又は２に記載のグラフィックオブジェクト処理装置。
【請求項４】
前記バスアクセス調停手段は、さらに、予め指定された期間ごとにバスアクセスの回数をカウントするため、前記リクエストカウント手段に対して予め指定された期間をおいてリセットを発行するリセット発行手段を備えることを特徴とする請求項３に記載のグラフィックオブジェクト処理装置。
【請求項５】
前記複数の処理手段のそれぞれは、新たに入力を受け付けられないことを示すビジー信号を出力するビジー信号出力手段を有し、
前記バスアクセス調停手段は、さらに、前記複数の処理手段のそれぞれのビジー信号出力手段が出力する前記ビジー信号がアサートされる回数をカウントするアサートカウント手段と、該アサートカウント手段がカウントしたカウント値を予め指定された方法によってデコードしてセレクト信号を出力するデコード手段とを有し、
前記制御手段は、前記デコード手段によって生成されるセレクト信号に基いて前記バス調停アルゴリズムを選択・実行することを特徴とする請求項１又は２に記載のグラフィックオブジェクト処理装置。
【請求項６】
前記バスアクセス調停手段は、さらに、前記アサートカウント手段に対して予め指定された期間をおいてリセットを発行するリセット発行手段を備えることを特徴とする請求項５に記載のグラフィックオブジェクト処理装置。
【請求項７】
前記複数の処理手段のそれぞれは、処理中のグラフィックオブジェクトの属性に関する情報を出力し、
前記バスアクセス調停手段は、前記複数の処理手段からの前記グラフィックオブジェクトの属性に関する情報を予め指定された方法によってデコードしてセレクト信号を出力するデコード手段を有し、
前記制御手段は、前記デコード手段によって生成される前記セレクト信号に基づいて前記バス調停アルゴリズムを選択・実行することを特徴とする請求項１又は２に記載のグラフィックオブジェクト処理装置。
【請求項８】
ラスター画素イメージを形成するべくグラフィックオブジェクトの任意の属性に関して予め指定された処理を行うグラフィックオブジェクト処理方法であって、
前記グラフィックオブジェクトの任意の属性に関する複数の処理を行う複数の処理手段のそれぞれからのバスアクセスを調停するバスアクセス調停工程と、を備え、
前記バスアクセス調停工程は、
前記複数の処理手段からのバスアクセスを調停結果に基づいてバスインタフェース手段を介してシステムバスに転送する転送工程と、
前記複数の処理手段それぞれの負荷状態を検出する状態検出工程と、
前記状態検出工程による検出結果に基づいてバス調停アルゴリズムを実行し、前記バスインタフェース手段を制御する制御工程とを有する、
ことを特徴とするグラフィックオブジェクト処理方法。
【請求項９】
前記制御工程は、それぞれ異なるバスリクエスト調停アルゴリズムを有し、該バス調停アルゴリズムを実行して調停結果を取得する複数のアービトレーション工程と、セレクト信号に基づいて前記複数のアービトレーション工程で取得した前記調停結果のいずれかをバスインタフェース手段に入力させるセレクト工程とを備えることを特徴とする請求項８に記載のグラフィックオブジェクト処理方法。
【請求項１０】
前記バスアクセス調停工程は、さらに、前記複数の処理手段からのそれぞれのバスアクセスの要求回数をリクエストカウンタによってカウントするリクエストカウント工程と、前記カウント工程によって得られたカウント値を予め指定された方法によってデコードしてセレクト信号を生成するデコード工程とを有し、
前記制御工程は、前記デコード工程によって生成されるセレクト信号に基づいて前記バス調停アルゴリズムを選択・実行する、
ことを特徴とする請求項８又は９に記載のグラフィックオブジェクト処理方法。
【請求項１１】
前記バスアクセス調停工程は、さらに、予め指定された期間ごとにバスアクセスの回数をカウントするため、前記リクエストカウンタに対して予め指定された期間をおいてリセットを発行するリセット発行工程を備えることを特徴とする請求項１０に記載のグラフィックオブジェクト処理方法。
【請求項１２】
さらに、前記複数の処理手段のそれぞれから、新たに入力を受け付けられないことを示すビジー信号を受信するビジー信号受信工程を備え、
前記バスアクセス調停工程は、さらに、前記複数の処理手段のそれぞれが出力する前記ビジー信号がアサートされる回数をアサートカウンタによってカウントするアサートカウント工程と、該アサートカウンタがカウントしたカウント値を予め指定された方法によってデコードしてセレクト信号を出力するデコード工程とを有し、
前記制御工程は、前記デコード工程によって生成されたセレクト信号に基いて前記バス調停アルゴリズムを選択・実行することを特徴とする請求項８又は９に記載のグラフィックオブジェクト処理方法。
【請求項１３】
前記バスアクセス調停工程は、さらに、前記アサートカウンタに対して予め指定された期間をおいてリセットを発行するリセット発行工程を備えることを特徴とする請求項１２に記載のグラフィックオブジェクト処理方法。
【請求項１４】
さらに、前記複数の処理手段のそれぞれから、処理中のグラフィックオブジェクトの属性に関する情報を受信するオブジェクト情報受信工程を備え、
前記バスアクセス調停工程は、さらに、前記複数の処理手段からの前記グラフィックオブジェクトの属性に関する情報を予め指定された方法によってデコードしてセレクト信号を出力するデコード工程を有し、
前記制御工程は、前記デコード工程によって生成された前記セレクト信号に基づいて前記バス調停アルゴリズムを選択・実行することを特徴とする請求項８又は９に記載のグラフィックオブジェクト処理方法。
【手続補正２】
【補正対象書類名】明細書
【補正対象項目名】００１１
【補正方法】変更
【補正の内容】
【００１１】
上記課題を解決するために、本発明によるグラフィックオブジェクト処理装置は、ラスター画素イメージを形成するべくグラフィックオブジェクトの任意の属性に関して予め指定された処理を行うグラフィックオブジェクト処理装置であって、前記グラフィックオブジェクトの任意の属性に関する複数の処理を行う複数の処理手段と、前記複数の処理手段のそれぞれからのバスアクセスを調停するバスアクセス調停手段と、を備え、前記バスアクセス調停手段は、前記複数の処理手段からのバスアクセスを調停結果に基づいてシステムバスに転送するバスインタフェース手段と、前記複数の処理手段それぞれの負荷状態を検出する状態検出手段と、前記状態検出手段による検出結果に基づいてバス調停アルゴリズムを実行し、前記バスインタフェース手段を制御する制御手段とを有することを特徴とする。
【手続補正３】
【補正対象書類名】明細書
【補正対象項目名】００１２
【補正方法】変更
【補正の内容】
【００１２】
また、本発明によるグラフィックオブジェクト処理方法は、ラスター画素イメージを形成するべくグラフィックオブジェクトの任意の属性に関して予め指定された処理を行うグラフィックオブジェクト処理方法であって、前記グラフィックオブジェクトの任意の属性に関する複数の処理を行う複数の処理手段のそれぞれからのバスアクセスを調停するバスアクセス調停工程と、を備え、前記バスアクセス調停工程は、前記複数の処理手段からのバスアクセスを調停結果に基づいてバスインタフェース手段を介してシステムバスに転送する転送工程と、前記複数の処理手段それぞれの負荷状態を検出する状態検出工程と、前記状態検出工程による検出結果に基づいてバス調停アルゴリズムを実行し、前記バスインタフェース手段を制御する制御工程とを有することを特徴とする。